(57)【特許請求の範囲】
【請求項１】
卵を起立姿勢で保持可能に構成されるとともに、起立姿勢で保持された卵の下部を収容する収容凹部を具備する複数の卵収容部と、
互いに隣接する前記収容凹部の上辺部間を連結する連結部とを備えるエッグトレーであって、
前記連結部及び前記収容凹部の双方に、前記連結部の上面から、前記収容凹部の内周面にかけて連続する溝部が形成されており、
前記連結部は格子状のラインに沿って延設されるとともに、前記収容凹部は前記連結部の交差位置に設けられ、
前記連結部には、当該連結部の下面から下方に突出し、当該連結部の延在方向に沿って直線状に延び、互いに隣接する前記収容部間を連結する補強リブが設けられ、
前記溝部には溝開口部が形成されているとともに、前記補強リブの一部が上方に露出しており、
前記補強リブのうち、上方に露出する部位の上辺部は、前記連結部の上面よりも下方に位置しており、
前記溝開口部は、前記溝部の底面と側面とにかけて形成されていることを特徴とするエッグトレー。
【請求項２】
前記収容凹部の底部には排出開口部が形成されていることを特徴とする請求項１に記載のエッグトレー。
【請求項３】
前記補強リブのうち上方に露出する部位の上辺部から前記連結部の前記溝部周縁部までの間全体が開口していることで前記溝開口部が形成されていることを特徴とする請求項１又は２に記載のエッグトレー。
【発明の詳細な説明】
【技術分野】
【０００１】
本発明は、複数の卵を起立姿勢で保持して運搬可能とするエッグトレーに関するものである。
【背景技術】
【０００２】
従来、鶏卵等を運搬する場合に専用のエッグトレーを用いることが知られている。エッグトレーは、卵を起立姿勢（鋭端を下にした姿勢）で保持可能な複数の卵収容部を備えている（例えば、特許文献１等参照。）。
【先行技術文献】
【特許文献】
【０００３】
【特許文献１】特開２００３−１０４４７６号公報
【発明の概要】
【発明が解決しようとする課題】
【０００４】
ところで、運搬等に際して、所定の卵収容部に収容された卵が割れてしまった場合、その周辺部に割れた卵の黄身や白身が流出することとなる。しかしながら、当該流出した液状の黄身や白身は、隣接する卵収容部に収容された卵によって堰き止められ、該卵の周りに停留してしまうことが懸念される。さらに、割れた卵の黄身や白身が、割れていない卵の周りで固化すると、割れていない卵とエッグトレーとが固着して卵を取出し難くなってしまい、場合によっては無理な取外しに起因して卵が割れてしまうおそれがある。
【０００５】
本発明は上記問題点等を解決するためになされたものであって、その目的は、割卵が発生した場合でもその他の割れていない卵の取出し作業性の低下を抑制することのできるエッグトレーを提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．卵を起立姿勢で保持可能に構成されるとともに、起立姿勢で保持された卵の下部を収容する収容凹部を具備する複数の卵収容部と、
互いに隣接する前記収容凹部の上辺部間を連結する連結部とを備えるエッグトレーであって、
前記連結部及び前記収容凹部の双方に、前記連結部の上面から、前記収容凹部の内周面にかけて連続する溝部が形成されており、
前記連結部は格子状のラインに沿って延設されるとともに、前記収容凹部は前記連結部の交差位置に設けられ、
前記連結部には、当該連結部の下面から下方に突出し、当該連結部の延在方向に沿って直線状に延び、互いに隣接する前記収容部間を連結する補強リブが設けられ、
前記溝部には溝開口部が形成されているとともに、前記補強リブの一部が上方に露出しており、
前記補強リブのうち、上方に露出する部位の上辺部は、前記連結部の上面よりも下方に位置しており、
前記溝開口部は、前記溝部の底面と側面とにかけて形成されていることを特徴とするエッグトレー。
【０００８】
手段１によれば、卵が割れた場合において、連結部を伝って隣接する卵収容部の近傍まで流れた割れた卵の白身や黄身（以下、「卵液」と言う）を、連結部の上面から収容凹部の内周面にかけて形成された溝部に流入させることができる。このため、割れた卵の卵液が、隣接する卵収容部に収容された卵の側面に沿って広範囲に行き渡り、かつ、そこで停留し、固化してしまうといった事態を抑制することができる。従って、割卵が発生して卵液が周囲に流出し、割れていない卵とエッグトレーとの間を固着するようにして卵液が固化してしまうことに起因して、割れていない卵がエッグトレーに固着してしまい、卵をエッグトレーから取出し難くなってしまう、場合によっては新たに割卵してしまうといった事態を抑止することができる。
また、割れた卵の卵液を、溝開口部を介して、より積極的に外部に排出することができる。従って、卵液が割れていない卵の周りにおいて停留・固化してしまうといった事態を回避することができ、割れていない卵とエッグトレーとが固着してしまうといった事態をより確実に防止することができる。さらに、卵液をエッグトレー外部にまで排出可能であることから、連結部に流出した卵液が大量の場合でも確実に対処することができる。
尚、エッグトレーのスペース効率を鑑みると、連結部の幅は極力狭く構成されることとなる。また、卵の黄身や白身は比較的粘度が高いため、小さな開口（隙間）を設けるだけでは、該開口を介して卵液を排出させることが困難な場合がある。かといって、例えば、連結部において極力大きな開口を形成するべく連結部の幅一杯に開口を形成しようとすると、強度の低下を招くおそれがある。これに対し、本手段では、溝部に溝開口部を形成している。すなわち、平板状の連結部にのみ開口部を形成する場合に比べ、溝部の底面と側面とにかけて溝開口部を形成することで、溝開口部の開口面積を大きく取ることも可能となる。換言すれば、溝開口部の開口面積を十分に確保しつつ、溝開口部の周りの壁部を増やすことができる。従って、強度低下を防止しつつ、卵液の停留をより確実に防止することができる。
また、エッグトレーの撓み強度を向上させることができる。
さらに、補強リブのうち溝開口部から上方に露出する部位に関しては、上辺部が連結部の上面よりも下方に位置している。このため、溝開口部を横切るようにして補強リブが設けられる場合であっても、卵液が溝開口部に案内され易くなり、溝開口部を介して、卵液を排出するといった上記作用効果が一層確実に奏される。
【０００９】
手段２．前記収容凹部の底部には排出開口部が形成されていることを特徴とする手段１に記載のエッグトレー。
【００１０】
上記手段１のように溝部を設けることによって、卵収容部に卵を収容した状態でも、連結部の上面側と、収容凹部のうち卵の下方の空間との間を、溝部を介して連通させることができる。この場合、割れた卵から連結部の上面に流出した卵液は、隣接する卵収容部の収容凹部の近傍にまで達すると、溝部によって収容凹部の下部空間に案内されることとなる。さらに、本手段２によれば、収容凹部の底部に排出開口部が形成されているため、収容凹部の下部空間にまで案内された卵液は、排出開口部を介して、外部に排出されることとなる。従って、卵液が収容凹部において堆積・固化してしまうといった事態を回避することができ、割れていない卵とエッグトレーとが固着してしまうといった事態をより確実に防止することができる。さらに、卵液をエッグトレーの外部にまで排出可能であることから、連結部に流出した卵液が大量の場合でも確実に対処することができる。
【００１１】
また、収容凹部の底部に排出開口部が形成されていることで、収容凹部の内側を比較的簡単かつきれいに洗浄することができ、衛生面においても有利である。加えて、エッグトレーの軽量化、省資源化等を図ることができる。
【００１２】
手段３．前記補強リブのうち上方に露出する部位の上辺部から前記連結部の前記溝部周縁部までの間全体が開口していることで前記溝開口部が形成されていることを特徴とする手段１又は２に記載のエッグトレー。
【図面の簡単な説明】
【００１９】
【図１】第１実施形態におけるエッグトレーを上面側から見た斜視図である。
【図２】図１のＷ部を示す部分拡大斜視図である。
【図３】第１実施形態におけるエッグトレーを下面側から見た斜視図である。
【図４】図３のＸ部を示す部分拡大斜視図である。
【図５】第１実施形態におけるエッグトレーの平面図である。
【図６】図５のＡ−Ａ線断面図である。
【図７】図６のＪ部を示す部分拡大斜視図である。
【図８】スタッキングされたエッグトレーを示す斜視図である。
【図９】ネスティングされたエッグトレーを示す斜視図である。
【図１０】第２実施形態におけるエッグトレーを上面側から見た斜視図である。
【図１１】図１０のＹ部を示す部分拡大斜視図である。
【図１２】第２実施形態におけるエッグトレーを下面側から見た斜視図である。
【図１３】図１２のＺ部を示す部分拡大斜視図である。
【図１４】第２実施形態におけるエッグトレーの平面図である。
【図１５】図１４のＢ−Ｂ線断面図である。
【図１６】図１５のＫ部を示す部分拡大斜視図である。
【図１７】図１４のＣ−Ｃ線断面図である。
【図１８】図１７のＬ部を示す部分拡大斜視図である。
【発明を実施するための形態】
【００２０】
（第１実施形態）
以下に、第１実施形態について図面を参照して説明する（但し、参考例）。図１〜図７に示すように、エッグトレー１は、鶏卵（以下、単に「卵ＥＧ」と言う）をその鋭端が下方を向いた姿勢（以下、「起立姿勢」と言う）で保持可能に構成されるとともに、起立姿勢で保持された卵ＥＧの下部を収容する収容凹部３を具備する複数の卵収容部２と、互いに隣接する収容凹部３の上辺部間を連結する連結部４とを備えている。
【００２１】
図５等に示すように、連結部４は格子状のラインに沿って延設されるとともに、収容凹部３は連結部４の各交差位置に設けられている。このため、エッグトレー１には、複数の収容凹部３が碁盤目状に配置されていることとなり、特に、本実施形態では、図５の紙面左右方向に６列、紙面上下方向に５列並ぶようにして合計３０個の収容凹部３が設けられている。
【００２２】
図２、図７等に示すように、収容凹部３は、上方に開口するとともに、下方に向けて次第に縮径する、いわば略すり鉢状をなしている。さらに、本実施形態の収容凹部３には、底部全体に排出開口部としての下開口部５が形成されており、下方にも開口している。
【００２３】
また、エッグトレー１は、各収容凹部３間を連結する連結部４によって囲まれた領域において、上方に突出する支持凸部６を備えている。これにより、１つの収容凹部３が４つの支持凸部６によって囲まれるような格好となっている。支持凸部６は、下方に開口する中空形状をなしているとともに、上方に向けて次第に縮径している。さらに、支持凸部６の周壁部には、隣接する複数の収容凹部３側に向いてそれぞれ開口し、上下に長い楕円状をなす保持開口部７が形成されている。
【００２４】
そして、収容凹部３に対して卵ＥＧの鋭端を進入させるようにして、卵ＥＧをエッグトレー１に載せることで、収容凹部３の内周面、又は／及び、該収容凹部３を囲う４つの支持凸部６の保持開口部７周縁部に対して卵ＥＧが当接し、起立姿勢で保持されるようになっている（図８参照）。従って、本実施形態の各卵収容部２は、収容凹部３と、当該収容凹部３を囲うようにして配置される４つの支持凸部６のうち、当該収容凹部３側を向いて開口する合計４つの保持開口部７の周縁部とによって構成されている。尚、卵ＥＧが大きいサイズの場合には、４つの支持凸部６の保持開口部７周縁部で卵ＥＧが保持される場合が多く、卵ＥＧが小さいサイズの場合には、収容凹部３の内周面で卵ＥＧが保持される場合が多く、また、卵ＥＧが傾けば、収容凹部３及び支持凸部６の両方で卵ＥＧが支持される場合が多い。
【００２５】
加えて、図１等に示すように、支持凸部６には、基本的に天井部全体に上開口部８が形成されている。また、本実施形態では、少なくとも２つ（本例では６つ）の支持凸部６に対して、上開口部８の周縁部から内周側に延びる円環状の受部９と、受部９の内周縁から上方に延びる円筒状のボス部１０とが設けられている。そして、図８に示すように、エッグトレー１同士を交互に９０度回転させた向きで上下に積み重ねる場合には、下側のエッグトレー１の支持凸部６の上縁と、上側のエッグトレー１の収容凹部３の下縁とがほぼ合致するような格好で上下に当接することとなる。特に、下側のエッグトレー１のボス部１０は、上側のエッグトレー１の収容凹部３の下開口部５に挿入されて、収容凹部３の内周面に略嵌合されることから、上下のエッグトレー１の水平方向における相対移動が防止されることとなる。これにより、卵収容部２に卵ＥＧを収容した状態のエッグトレー１同士を上下に積み重ねる（スタッキングする）ことができる。
【００２６】
その一方で、図９に示すように、卵ＥＧを載置していない状態のエッグトレー１同士を同じ向きで上下に積み重ねる（ネスティングする）ことで、エッグトレー１をスタッキングした場合に比べ、積み重ねられた複数のエッグトレー１の高さを抑制することができる。
【００２７】
さて、本実施形態では、図２、図７等に示すように、収容凹部３と各連結部４との境界部において、連結部４の上面から収容凹部３の内周面にかけて連続する溝部１１が形成されている。溝部１１の底面は、対応する収容凹部３の中央側に向けて下方傾斜している。尚、本実施形態の溝部１１は、連結部４と収容凹部３との境界部にのみ形成されており、連結部４の長手方向中間位置や、収容凹部３の下部には形成されていない。これにより、連結部４や収容凹部３の強度低下を防止することができる。
【００２８】
また、図４、図７等に示すように、連結部４の下面から下方に突出し、当該連結部４の延在方向に沿って直線状に延びる補強リブ１２が設けられている。補強リブ１２は、連結部４とともに、互いに隣接する収容凹部３間を連結するものであるが、本実施形態では、互いに隣接する収容凹部３の相対する溝部１１の裏面間を連結するようにして延びている。
【００２９】
以上詳述したように、第１実施形態によれば、収容凹部３と、各連結部４との境界部において、連結部４の上面から収容凹部３の内周面にかけて連続して延びる溝部１１が形成されている。このため、卵ＥＧの運搬中等に所定の卵収容部２において収容されていた卵ＥＧが割れ、割れた卵ＥＧの白身や黄身（以下、「卵液」と言う）が、連結部４を伝って、隣接する卵収容部２の近傍にまで流出した場合に、該卵液を溝部１１に流入させることができる。これにより、割れた卵ＥＧの卵液が、隣接する卵収容部２に収容された卵ＥＧの側面に沿って広範囲に行き渡り、かつ、そこで停留し、固化してしまうといった事態を抑制することができる。従って、割卵が発生して卵液が周囲に流出し、割れていない卵ＥＧとエッグトレー１との間を固着するようにして卵液が固化してしまうことに起因して、卵ＥＧをエッグトレー１から取出し難くなってしまう、場合によっては新たに割卵してしまうといった事態を抑止することができる。
【００３０】
さらに、連結部４の上面側から溝部１１に流入した卵液は、収容凹部３のうち当該収容凹部３に収容されている卵ＥＧよりも下方の空間にまで案内されるとともに、収容凹部３の底部に形成された下開口部５からエッグトレー１の外部に排出されることとなる。従って、卵液が収容凹部３において堆積・固化してしまうといった事態を回避することができ、割れていない卵ＥＧとエッグトレー１とが固着してしまうといった事態をより確実に防止することができる。加えて、卵液をエッグトレー１の外部にまで排出可能であることから、連結部４に流出した卵液が大量の場合でも確実に対処することができる。
【００３１】
また、収容凹部３の底部に下開口部５が形成されていることで、収容凹部３の内側を比較的簡単かつきれいに洗浄することができ、衛生面においても有利である。加えて、エッグトレー１の軽量化、省資源化等を図ることができる。尚、エッグトレー１をスタッキングした状態で、上段のエッグトレー１に載置された卵ＥＧが割れた場合において、該割れた卵の卵液が、下段のエッグトレー１に落下したとしても、かかる卵液は卵ＥＧの周りには滞留せず、溝部１１及び下開口部５を介してさらに下方に排出されることとなる。
【００３２】
さらに、連結部４の下面側には、連結部４とともに、互いに隣接する収容凹部３間を連結する補強リブ１２が設けられている。このため、エッグトレー１の撓み強度を向上させることができる。
【００３３】
（第２実施形態）
以下、第２実施形態について特徴部分を中心に図１０〜図１８を参照して説明する。図１１、図１６等に示すように、第２実施形態のエッグトレー１にも、収容凹部３と各連結部４との境界部において溝部１１が形成されているが、その溝部１１には溝開口部２１が形成されている。また、第２実施形態でも、溝部１１の底面に相当する部位が存在するが、当該底面は、互いに隣接する収容凹部３の外周面間を直線状に連結する補強リブ１２の上辺部が溝開口部２１を介して上方に露出することによって構成されている。
【００３４】
さらに、補強リブ１２のうち、溝開口部２１を介して上方に露出する部位（以下、「露出部２２」とも称する）の上辺部は、連結部４の下面と連接している部位の上辺部よりも一段低く、かつ、略水平方向に延びている。このため、溝部１１の底面全体が連結部４の下面よりも下方に位置しているような格好となっている。また、露出部２２の上辺部から連結部４の溝部１１周縁部までの間全体が開口されることによって溝開口部２１が形成されている。
【００３５】
以上詳述したように、第２実施形態によれば、上記第１実施形態と同様に、割れた卵ＥＧの卵液が、連結部４を伝って、隣接する卵収容部２の近傍にまで流出した場合に、該卵液を溝部１１に流入させることができる。このため、割れた卵ＥＧの卵液が、隣接する卵収容部２に収容された卵ＥＧの側面に沿って広範囲に行き渡り、かつ、そこで停留し、固化してしまうといった事態を抑制することができる。さらに、第２実施形態では、溝部１１に溝開口部２１が形成されていることから、連結部４に流出した卵液をより積極的に下方に排出することができる。従って、割卵が発生した場合でもその他の割れていない卵ＥＧの取出し作業性の低下を抑制することができるといった作用効果が一層確実に奏される。
【００３６】
尚、エッグトレー１のスペース効率を鑑みると、連結部４の幅は極力狭く構成されることとなる。また、卵ＥＧの黄身や白身は比較的粘度が高いため、小さな開口（隙間）を設けるだけでは、該開口を介して卵液を排出させることが困難な場合がある。かといって、例えば、連結部４において極力大きな開口を形成するべく連結部４の幅一杯に開口を形成しようとすると、強度の低下を招くおそれがある。これに対し、本実施形態では、溝部１１に溝開口部２１を形成している。すなわち、平板状の連結部４にのみ開口部を形成する場合に比べ、溝部１１の底面と側面とにかけて溝開口部２１を形成することで、溝開口部２１の開口面積を大きく取ることも可能となる。換言すれば、溝開口部２１の開口面積を十分に確保しつつ、溝開口部２１の周りの壁部を増やすことができる。
【００３７】
より具体的に、本実施形態では、溝部１１に溝開口部２１を形成したが、その下方に位置する補強リブ１２については省略することなく残存させるとともに、あたかも溝部１１の底面の一部が線状に存在しているかのように、溝開口部２１を介して補強リブ１２を上方に露出させている。さらに、補強リブ１２のうち露出部２２の上辺部は連結部４の下面よりも下方に位置するとともに、露出部２２の上辺部から連結部４の溝部１１周縁部までの間全体が開口されることで溝開口部２１が形成されている。従って、補強リブ１２によって溝開口部２１周りの強度を確保することができるとともに、補強リブ１２によって、溝開口部２１が実質的に２つに分断されるような格好となっても、各溝開口部２１は水平方向にだけでなく上下方向にも開口面積を拡張することができるため、卵液を排出するのに十分な開口面積を確保することができる。結果として、強度低下を防止しつつ、卵液の停留をより確実に防止することができる。
【００３８】
また、溝部１１の底面を構成することとなる補強リブ１２の露出部２２の上辺部は、連結部４の下面よりもさらに下方に位置している。このため、溝開口部２１を横切るようにして補強リブ１２が設けられる場合であっても、卵液が溝開口部２１に案内され易くなり、溝開口部２１を介して、卵液を排出するといった上記作用効果が一層確実に奏される。
【００３９】
尚、割れた卵から連結部４に大量の卵液が流出した場合、溝開口部２１から一度に排出しきれない卵液については、上記第１実施形態と同様に、溝部１１を介して、収容凹部３の下部空間に案内されるとともに、下開口部５からエッグトレー１の外部に排出されることとなる。
【００４０】
尚、上記実施形態の記載内容に限定されず、例えば次のように実施してもよい。勿論、以下において例示しない他の応用例、変更例も当然可能である。
【００４１】
（ａ）上記実施形態では、鶏卵を運搬するエッグトレー１に具体化されているが、その他の種類の卵（例えば、ウズラやアヒル等の卵）を運搬するエッグトレーに適用することも可能である。また、上記実施形態では、エッグトレー１はポリプロピレンにより構成されているが、ポリエチレン、ＰＥＴ、ポリアミド等その他の樹脂材料によって構成されることとしてもよい。
【００４２】
（ｂ）上記実施形態では、収容凹部３と各連結部４との境界部においてのみ溝部１１が形成されているが、例えば、溝部１１を収容凹部３の下端部にまで延設したり、連結部４の長手方向全域に形成したりすることも可能である。但し、エッグトレー１の強度低下を抑制するといった観点からすると、溝部１１を連結部４の長手方向全域に延ばしたり、溝部１１を収容凹部３の上端から下端にまで延ばしたりすることは避ける方が望ましい。
【００４３】
（ｃ）上記第１実施形態において、流通が想定される範囲で最も小さなサイズ（例えば、ＳＳサイズの中でも最も小さなサイズ）の卵ＥＧを卵収容部２に収容した場合であっても、収容凹部３のうち卵ＥＧとの当接部位（支持する部位）よりも、溝部１１の下端部が下方に位置するように構成されていることとしてもよい。すなわち、高さ方向において、卵収容部２のうち卵ＥＧを支持するポイントよりも、溝部１１の下端部が下方に位置することで、卵液を比較的スムースに卵収容部２の下部、ひいては、下開口部５に排出することができる。
【００４４】
また、上記第１実施形態では、補強リブ１２が互いに隣接する収容凹部３の溝部１１裏面間を連結するように構成されているが、溝部１１以外の部位の間も連結するように構成してもよい。
【００４５】
（ｄ）上記第２実施形態では、補強リブ１２の露出部２２の上辺部が水平に延びているが、対応する収容凹部３側に向けて下方傾斜させてもよい。また、露出部２２の上部を上方に向けて先細る断面略テーパ状に構成してもよい。この場合、溝開口部２１の実質的な開口面積を広げることができるとともに、卵液が露出部２２の上辺部に載ったときの卵白の切れを良くすることができる。さらに、当該構成を採用する場合、溝開口部２１に卵ＥＧの鋭端を押し当てたとしても、卵ＥＧが露出部２２の上辺部に当接しないように構成されていることとしてもよい。
【００４６】
（ｅ）上記実施形態では、収容凹部３の底部に下開口部５が形成されているが、下開口部５が形成されずに、閉塞されていてもよい。例えば、収容凹部３のうち当該収容凹部３に収容された卵ＥＧの下方において比較的大きな空間を確保できるようであれば、溝部１１を介して卵ＥＧの下方に流入する卵液を、卵ＥＧに触れないように、かつ、収容凹部３の外部に流出しないように溜めておくことも可能となる。
【００４７】
加えて、上記第１実施形態において、エッグトレー１を設置面に設置した場合に、下開口部５と設置面との間に隙間が形成されるように、例えば、収容凹部３の下部から下方に突出する凸部を設ける等してもよい。この場合、設置面に直接設置されるエッグトレー１の下開口部５から確実にエッグトレー１外部に卵液を排出することができる。さらに、エッグトレー１自体を加工するのではなく、エッグトレー１を載せて運搬可能なパレット等の載置面を格子状にしたり、エッグトレー１の収容凹部３の下端部を載置面から浮かした状態で支持可能な支持部を設けたりすることで、下開口部５の下方に隙間が形成されるように構成してもよい。
【００４８】
また、上記実施形態では、エッグトレー１がネスティング及びスタッキングの両方ができるように構成されているが、どちらか一方だけできる構成、又は、両方できない構成であってもよい。さらに、上記実施形態では、エッグトレー１に設けられる収容凹部３等の数は特に限定されるものではない。加えて、上記実施形態では、縦横にそれぞれ真っ直ぐに延びる直線を直交させた碁盤格子状のラインに沿って連結部４が延在しているが、例えば、縦列又は横列の一方において隣接する列の連結部４の位置がずれるように、レンガ積みの目地状に連結部４が延在するように構成してもよい。
【符号の説明】
【００４９】
１…エッグトレー、２…卵収容部、３…収容凹部、４…連結部、５…下開口部、６…支持凸部、１１…溝部、１２…補強リブ、２１…溝開口部、２２…露出部、ＥＧ…卵。
【図１】
0005926549.tif 000002
【図２】
0005926549.tif 000003
【図３】
0005926549.tif 000004
【図４】
0005926549.tif 000005
【図５】
0005926549.tif 000006
【図６】
0005926549.tif 000007
【図７】
0005926549.tif 000008
【図８】
0005926549.tif 000009
【図９】
0005926549.tif 000010
【図１０】
0005926549.tif 000011
【図１１】
0005926549.tif 000012
【図１２】
0005926549.tif 000013
【図１３】
0005926549.tif 000014
【図１４】
0005926549.tif 000015
【図１５】
0005926549.tif 000016
【図１６】
0005926549.tif 000017
【図１７】
0005926549.tif 000018
【図１８】
0005926549.tif 000019